(57)【要約】【課題】防犯性を維持し、かつ快適で省エネルギー上好ましい開口部の使用を可能とする防犯装置を提供する。【解決手段】外壁の開口部をスライドして開閉する引き戸形式の建具に設けた磁性体と、前記建具の開閉動作に伴う前記磁性体の移動による磁気変化を検知する磁気センサと、該磁気センサの前記磁気変化の検知により生じる電気信号が伝達されることによって防犯操作を行なう警報装置とからなる防犯装置において、磁気センサの位置を、磁性体の移動方向と同方向にスライド調整可能に形成したことと、建具をアルミサッシで構成し、レールに対し着脱自在に装着しうるベースと、そこから立上がる支柱と、その上端に設けられ建具に具えられたクレセント錠の係合爪と係合する錠受部から成る阻止具を具えたことを特徴とする防犯装置。【選択図】  図１
2004171133.tif 000002
【特許請求の範囲】
【請求項１】
外壁の開口部をスライドして開閉する引き戸形式の建具に設けた磁性体と、前記建具の開閉動作に伴う前記磁性体の移動による磁気変化を検知する磁気センサと、該磁気センサの前記磁気変化の検知により生じる電気信号が伝達されることによって防犯操作を行なう警報装置とからなる防犯装置において、磁気センサの位置を、磁性体の移動方向と同方向にスライド調整可能に形成したことを特徴とする防犯装置。
【請求項２】
外壁の開口部をスライドして開閉する引き戸形式の建具に設けた磁性体と、前記建具の開閉動作に伴う前記磁性体の移動による磁気変化を検知する磁気センサと、該磁気センサの前記磁気変化の検知により生じる電気信号が伝達されることによって防犯操作を行なう警報装置とからなる防犯装置において、建具をアルミサッシで構成し、レールに対し着脱自在に装着しうるベースと、そこから立上がる支柱と、その上端に設けられ建具に具えられたクレセント錠の係合爪と係合する錠受部から成る阻止具を具えたことを特徴とする防犯装置。
【発明の詳細な説明】
【０００１】
【発明の属する技術分野】
本発明は、高い防犯性を維持しつつ、開口部からの自然換気を可能とする防犯装置に関する。
【０００２】
【従来の技術】
近年、住宅等の建築物において、赤外線感知装置などの遠隔検知センサーなど各種の遠隔検知センサーを用いて侵入者を検知し、その検知により、警報ブザー、警告灯などにより注意を喚起し又は侵入者を威嚇し、さらには警備すべき離れた警備会社などに侵入信号を伝達する等により防犯する防犯装置が多用されている。
【０００３】
他方、特に家屋、建物などにおいては、外壁の窓、出入り口などの開口部を開閉する建具に磁気体を設けて不審な開閉がなされたとき、磁気センサーによって検知して警報する形式の防犯装置が採用されている。このような防犯装置は、一階の窓、出入り口、二階テラスの出入り口、平屋根に面する二階窓など、侵入者が侵入しやすい開口部に配置している。
【０００４】
【発明が解決しようとする課題】
ところで、居室や寝室等の開口部では、１０センチメートル程度開口し、内外空気の流通による室内の換気や、夏期夜間などに外の冷気を取り込んでの室温の調節を行い、快適な環境を得ることが一般的である。ところがこの種防犯装置を具えた開口部では、建具を開くと忽ち警報装置の防犯操作が作動し、このような便利で省エネルギー上好ましい使い方ができない。そこで防犯操作の作動を停止し、開口状態で使用することも考えられるが、そのまま就寝した場合などには防犯上特に危険である。
【０００５】
本発明は、以上のような問題点に鑑み案出なされたもので、防犯性を維持し、かつ快適で省エネルギー上好ましい開口部の使用を可能とする防犯装置を提供することを目的としている。
【０００６】
【課題を解決するための手段】
本発明のうち請求項１記載の発明は、外壁の開口部をスライドして開閉する引き戸形式の建具に設けた磁性体と、前記建具の開閉動作に伴う前記磁性体の移動による磁気変化を検知する磁気センサと、該磁気センサの前記磁気変化の検知により生じる電気信号が伝達されることによって防犯操作を行なう警報装置とからなる防犯装置において、磁気センサの位置を、磁性体の移動方向と同方向にスライド調整可能に形成したことを特徴としている。
【０００７】
外壁の開口部をスライドして開閉する引き戸形式の建具に設けた磁性体と、前記建具の開閉動作に伴う前記磁性体の移動による磁気変化を検知する磁気センサと、該磁気センサの前記磁気変化の検知により生じる電気信号が伝達されることによって防犯操作を行なう警報装置とからなる防犯装置において、建具をアルミサッシで構成し、レールに対し着脱自在に装着しうるベースと、そこから立上がる支柱と、その上端に設けられ建具に具えられたクレセント錠の係合爪と係合する錠受部から成る阻止具を具えたことを特徴としている。
【０００８】
【発明の実施の形態】
以下本発明の実施の一形態を図面に基づき説明する。
本発明の防犯装置は、外壁Ｗの開口部Ｋをスライドして開閉する引き戸形式の建具１に設けた磁性体２と、前記建具１の開閉動作に伴う前記磁性体２の移動による磁気変化を検知する磁気センサ３と、該磁気センサ３の前記磁気変化の検知により生じる電気信号が伝達されることによって防犯操作を行なう警報装置４とからな防犯装置において、磁気センサ３を、磁性体２の移動方向と同方向にスライド可能に形成したことと、建具１をアルミサッシで構成し、レール５に対し着脱自在に装着しうるベース６と、そこから立上がる支柱７と、その上端に設けられ建具１に具えられたクレセント錠８の係合爪９と係合する錠受部１０から成る阻止具１１を具えたことを特徴とする。
【０００９】
なお、本実施形態では、図７に示すように、防犯装置は、住宅の居室、事務所等の外壁Ｗの一階の腰高の窓である開口部Ｋに設けられ、前記建具１は、その開口部Ｋに配されるアルミサッシで構成した一対の引き違い式のガラス戸１ａ、１ｂからなる
【００１０】
前記外壁Ｗは、本実施形態では、図２に示すように、図示しない周囲枠材の両面に外装材Ｗ１、内装材Ｗ２を貼設した建築用パネルを用いて形成され、その外壁Ｗの開口部Ｋは、矩形配置の窓枠材Ｋ１・・・の内周縁に揃えて前記外装材Ｗ１、内装材Ｗ２を切り欠くことにより形成される壁開口２１に、本形態では、建具取り付け用の開口部サッシ２２を屋外側に、前記飾り縁３８を屋内側に配することにより形成されている
【００１１】
なお壁開口２１は、図２に示すように、屋外側に内周縁に沿う断面Ｌ字の欠切部２４を有し、前記開口部サッシ２２の上枠材２２Ａは、この欠切部２４奥面で固着される取付け片下端の水平片２２ｈに、開口部内方に向かって突出し、前記ガラス戸１ａ、１ｂを走行させる２本のガイド２２ａ，２２ｂと、屋内外側の突片２２ｃ，２２ｄとを設けている。なお、屋内側の前記突片２２ｄは外壁屋内面Ｗ３よりも屋外側に離間し、かつ下端部に、屋内に向いて開放される溝部２２ｄ１を形成するコ字部を形成している。
【００１２】
前記ガラス戸１ａ，１ｂは、非磁性の例えばアルミからなる戸サッシ枠１Ｆにガラス板１Ｇを装着した周知構成を具え、前記上枠材２２Ａのガイド２２ａ，２２ｂと、これに向き合う下部のレール５の支持片５ａ、５ｂで引き違い可能に装着されるとともに、図４に示すように、ガラス戸１ａの場合には例えば戸サッシ枠の縦框１ａ１の屋内側表面に、前記磁性体２が取付けられる。本実施形態では、磁性体２は鉄製の薄板から構成され、小ビス（図示せず）を用いて取付けられているが、裏面に粘着剤を貼付した磁気テープを用いて構成しても良い
【００１３】
他方、前記磁気センサ３は、前記ガラス戸１ａの前記磁性体２の磁気エネルギーを検知でき、例えばガラス戸１ａの開閉に伴う磁気変化を電気信号に変換でき、図４に示すごとく、前記開口部サッシ２２の縦枠材２２Ａの屋内側の突片２２Ａ１屋外面に、前記ガラス戸１ａの閉止状態において、好ましくは前記磁性体２と向き合う位置に取り付けられる。なお、磁気センサ３は、出力電圧が磁気エネルギーの時間的変化量に比例する電磁誘導型、静磁界での検出も可能な磁電変換型等の種類があるがいずれも利用できる。
【００１４】
前記警報装置４は、前記のように、前記磁気センサ３の電気信号によって防犯操作を行なうものであって、本実施形態では、図４に示すように、開口部Ｋの上位の外壁Ｗの前記内装材Ｗ２に開口した取付孔２４に嵌合固定され、磁気センサ３から受けた電気信号を無線信号に変換し、図示しない中央制御装置に向けて発信する。但し、警報装置４はこの態様には限定されず、直接警備会社へ直接無線通報するもの、ブザー、ベル等の警報音を発するもの、パトライト等の警告灯、或いはこれら機能を複合したもの等使用条件に応じ種々の機能の警報機器７を採用しうる。なお本例において、異常発生を知らせる無線信号を受信した中央制御装置を経て、有線、無線の電話回線を介して警備会社へ通報される。中央制御装置は、前記ガラス戸の他、家屋などの建築物の玄関ドア、勝手口、テラスへの出入り口ガラス戸等に各々設置された例えば全ての防犯装置から複数の無線信号を受信しかつ発信するなど、建築物全体としての防犯機能を集中的に制御するシステムを構成する。
【００１５】
ガラス戸１ｂにおいて、図１及至図３に示すように、その上框１ｂ１の屋内側表面に磁性体２が取付けられている。他方開口サッシ２２の上枠材２２Ｂの下面に取付けたリップ溝型状のホルダ２５のリップ２６、２６に、磁気センサ３の上部両側に形成した両翼２７、２７を係止することにより、磁気センサ３が磁性体２に向合い該磁性体２の移動方向と同方向にスライド自在に装着される。
【００１６】
前記磁性体２は、ガラス戸１ｂにおいて不法侵入者の侵入が不可能な最大の開口幅（例えば２０ｃｍ）  に等しい長さのものを採用し、これによりガラス戸１ｂを閉止状態および不法侵入者の侵入が不可能な開口幅に開口する全範囲にわたり、磁気センサ３に対向する。すなわち、図７に示すようにガラス戸１ｂの閉止状態、図８に示すように不法侵入者の侵入が不可能な開口幅でのガラス戸１ｂの開口状態で、磁性体２は磁気センサ３に対向する。しかし、図９に示すように、不法侵入者の侵入を許容する開口幅（例えば、２０ｃｍ以上）までガラス戸１ｂが開口すると、磁性体２が磁気センサ３から遠ざかることにより磁気センサ３周囲の磁気エネルギーの変化が生じる。該磁気エネルギーの変化に起因して磁気センサ３が異常発生を示す電気信号を出力し警報装置４に伝達される。そして前記と同様、警報装置４からの無線信号を受信した中央制御装置が、警備会社などへ通報して一連の防犯操作が実行される。
【００１７】
このように、本発明の防犯装置は、不法侵入者の侵入を許すまでガラス戸１ｂが開くと、警報装置４が作動して、不法侵入者の侵入を阻止するが、例えば２０ｃｍに満たない開口幅の開閉を自由とし、内外空気の流通による室内の換気や、夏期夜間などに外の冷気を取り込んでの室温の調節を可能とする。なおこれら室内の換気などのために、不法侵入者の侵入が不可能な最大の開口幅（例えば２０ｃｍ）  以下の開口幅（例えば１０ｃｍ）  で十分な場合、昼夜の時間帯の違いによる防犯レベルの変化、その他条件の変化に連動し、磁性体２の位置をガラス戸１ｂの開口側へスライドして調整することにより、警報装置４が作動する開口幅を使用者自らが状況に応じ任意に設定できる。他方ガラス戸１ａが開けられた場合には、図１０に示すように、即座に磁性体２が磁気センサ３から遠ざかり、警報装置４が作動する。
【００１８】
また、本発明の防犯装置は、不法侵入者の侵入を許す開口幅への建具１の移動を防ぐため、図５、６に示すように、建具１をアルミサッシで構成し、レール５に対し着脱自在に装着しうるベース６と、そこから立上がる支柱７と、その上端に設けられ建具１に具えられたクレセント錠８の係合爪９と係合する錠受部１０から成る阻止具１１を設ける。
【００１９】
前記ベース６は、水平な基板２８と、その一端で下方に折れ曲るフランジ２９と、該フランジ２９との間隔が増減自在な状態で向合うスライド片３０とからなる。
【００２０】
前記スライド片３０は、基板２８に形成された長孔３１にスライド自在に嵌挿された鍔付の軸３２に支持され、フランジ２９に対向する側に斜面３３を形成する。また、基板２８に螺装したボルト３４に垂下され、このボルト３４の回転に連動して昇降するテーパブロック３５の下向き斜面３６が上記スライド片３０の斜面３３に向合う。図６に示すように、開口部サッシ２２のレール５の支持片５ａと側片５ｃに間に、ベース６を嵌挿し、ボルト３４の回転によりスライド片３０を屋外側に移動させ、スライド片３０及びフランジ２９を各々レール５の支持片５ａと側片５ｃに押付けることにより、ベース６を開口部サッシ２２の下枠材２２Ｂに固定する。尚スライド片３０及びフランジ２９の外側面に、ゴム、スポンジ等の弾性層３１を積層してあるため、レール５に対するベース６の固定が安定しうる点で好ましい。
【００２１】
本実施形態では、前記阻止具１１の支柱７、基板２８及び基板２８のフランジ２９は、鋼製帯板をプレス成形して形成しているが、プラスチック、アルミニウム等で成形することもできる。又本実施形態では、支柱７は平板状に形成されるが、補強のためアングル状、角筒状に形成することもできる。
【００２２】
前記錠受部１０は、支柱７の上端側部に縦筒状のリング３２を溶接して形成される。そして、不法侵入者の侵入が不可能な範囲で、室内の換気などのために必要な開口幅を形成する位置のガラス戸１ｂに形成されたクレセント錠８の係合爪９と係合し、ガラス戸１ｂの開閉動作を阻止する。又上記のように、阻止具１１のベース６は、ボルト３４の操作により、開口部サッシ２２の下枠材２２Ｂに簡単に着脱しうるので、その固定位置の変更により、昼夜の時間帯の違いによる防犯レベルの変化、その他条件の変化に連動し、ガラス戸１ｂの開口幅を使用者自らが任意に設定できる。
【００２３】
図８に示すように、ガラス戸１ｂのクレセント錠８を阻止具１１に係合し、不法侵入者の侵入を防止しうる位置でガラス戸１ｂの開閉を拘束する。尚閉止位置のガラス戸３ａは、開口部サッシ２２の縦枠材２２Ａに設けた従来公知の閂錠４２により開閉動作を拘束される。そして、ガラス戸１ａ、ガラス戸１ｂの磁性体２は、各々磁気センサ３と対向し、警報装置４は未作動で、しかもガラス戸１ｂの開口から、室内の換気、冷気を取り込んでの室温の調節など自然換気を可能とする。このため、阻止具１１により不法侵入者の侵入防止を一次的に担保する。更に不法侵入者が阻止具１１を破損し、図９に示すようにガラス戸１ｂの不法侵入者の侵入を許容する位置への移動時、図１０に示すようにガラス戸１ａの開口移動時、二次的に警報装置が作動して防犯性を維持しうる。このように、阻止具１１は、自然換気を可能としつつ、警報機器７の作動と協働して防犯性を向上し、特に一次的な防犯機能を担保する。
【００２４】
又本実施形態では、前記開口部Ｋの前記飾り縁３７は、図２に示すように、前記外壁屋内面Ｗ３に、内周縁に沿い化粧釘、ビス、接着剤などの固着具３８によって固定される基部３７Ａと、その下端で屋外側に折れ曲がり前記溝２２ｄ１に嵌着される折曲げ片３７Ｂとからなり、前記基部３７Ａが壁開口２１の内周面よりも開口部Ｋの内方に突出することによって、本形態では、壁開口２１と、飾り縁３７と、開口部サッシ２２との間に空間３９を形成している。なお、図４に示すように、飾り縁３７は、本実施形態では開口部Ｋの上部の飾り縁３７ａと側部の飾り縁３７ｂとからなるが、開口部Ｋの下部に設けても良い。さらに前記空間３９は図２に示すように、飾り縁３７の前記折曲げ片３７Ｂと、壁開口２１の内周面との間に５〜２０ｍｍ程度、屋内外方向にも同程度の距離を隔てる程度の大きさに形成される。この空間３９を上部の飾り縁３７ａと側部の飾り縁３７ｂとの間で連通させるため、側部の飾り縁３７ｂの上端部に切欠き２３が形成される。このような飾り縁３７は、開口部Ｋの屋内側周縁に両面テープで仮止めされ、全体の位置調整のあと前記固着具３８を用いて固定できる。
【００２５】
また、磁気センサ３から発生する前記電気信号を警報装置４に伝達する前記導線４０は、本実施形態では、図４に示すように、磁気センサ３から前記開口部サッシ２２の縦枠材の屋内側の前記突片２２Ａ１に透設した小孔に貫挿され、かつ前記壁開口２１と、飾り縁３７と、開口部サッシ２２とがなす前記空間３９を通路として開口部Ｋの内周に沿ってのびるとともに、図２に略示するごとく、壁開口２１の前記上の窓枠材Ｋ１に形成した貫通孔４１から外壁Ｗの内部を通り警報装置４に接続されている。なお導線４０は、配線後の工程の作業性から、開口部Ｋに向く壁開口２１の内周面に粘着テープで固定されることが好ましい。尚、ホルダ２５に支持された磁気センサ３から発生する電気信号は、図３に示すように、ホルダ２５のリップ２６の内表面に設けた接点４２を介して導線４０に確実に伝達される。
【００２６】
なお飾り縁３７は、開口部Ｋのデザイン性の向上、壁クロス等表面仕材の端部仕上げ等にも役立ち、飾り縁３７は無垢木材、Ｌ字状にＶカット加工した化粧合板等木質材が多用されるが、断面Ｌ字状に押し出し成形したプラスチック材、アルミニウム、ステンレススチール等の非磁性の金属材も採用される。
【００２７】
【発明の効果】
以上説明したように、請求項１記載の発明では、建具の開閉で、開口幅が不法侵入者の侵入を許す大きさを越えると、警報装置の作動で防犯性を維持でき、それ以下の開口幅で室内の換気、冷気を取り込んでの室温の調節など自然換気を可能とし、快適で省エネルギー上好ましい開口部の使用を可能とし、更には使用条件の変化に連動し、警報装置が作動する開口幅を使用者自らが任意に設定できる。
【００２８】
また請求項２記載の発明では、阻止具により使用者が任意に設定する位置で建具の固定を可能とし、自然換気を可能としつつ、一次的な防犯機能を担保する。
【図面の簡単な説明】
【図１】本発明の防犯装置の一実施の形態を例示する斜視図である。
【図２】その断面図である。
【図３】その要部拡大図である。
【図４】建具の異なる側の磁性体と磁気センサの取付状態を例示する分解斜視図である。
【図５】阻止具の装着状態を例示する斜視図である。
【図６】その部分拡大断面図である。
【図７】防犯装置が作動する状態を例示する正面図である。
【図８】建具位置の異なる作動状態を例示する正面図である。
【図９】建具位置の異なる作動状態を例示する正面図である。
【図１０】建具位置の異なる作動状態を例示する正面図である。
【符号の説明】
Ｋ  開口部
Ｗ  外壁
１  建具
２  磁性体
３  磁気センサ
４  警報装置
５  レール
６  ベース
７  支柱
８  クレセント錠
９  係合爪
１０  鍵受部
１１  阻止具
【図１】
2004171133.tif 000003
【図２】
2004171133.tif 000004
【図３】
2004171133.tif 000005
【図４】
2004171133.tif 000006
【図５】
2004171133.tif 000007
【図６】
2004171133.tif 000008
【図７】
2004171133.tif 000009
【図８】
2004171133.tif 000010
【図９】
2004171133.tif 000011
【図１０】
2004171133.tif 000012